(57)【要約】【課題】化粧パネルへのハウジングの取り付け作業を容易にすることができる照明ユニットを提供すること。【解決手段】光を発する発光部１２を有してなる発光機能部１０と、発光機能部１０が防水可能に収容されるハウジング２０と、ハウジング２０が取り付けされる化粧パネル４０とを有してなる照明ユニット１において、ハウジング２０は、発光部１２から発せれる光が透過される光透過部２７と、回動されることによって化粧パネル４０に取り付けされるように軸心に設けられてなる回動軸部２９とを有してなり、化粧パネル４０は、化粧パネル４０の裏面４０ｂに設けられ、回動軸部２９を回動可能に支持する軸受部５３と、光透過部２７から透過される光が化粧パネル４０の表面４０ａ側に出射される光出射部４２とを有してなる。【選択図】図２
2013014211.tif 000002
【特許請求の範囲】
【請求項１】
光を発する発光部を有してなる発光機能部と、該発光機能部が防水可能に収容されるハウジングと、該ハウジングが取り付けされる化粧パネルとを有してなる照明ユニットにおいて、
前記ハウジングは、
前記発光部から発せれる光が透過される光透過部と、回動されることによって前記化粧パネルに取り付けされるように軸心に設けられてなるハウジング側回動軸部、あるいはハウジング側軸受け部とを有してなり、
前記化粧パネルは、
該化粧パネルの裏面に設けられ、前記ハウジング側回動軸部を回動可能に支持するパネル側軸受部、あるいは前記ハウジング側軸受け部によって回動可能に支持されるパネル側回動軸部と、前記光透過部から透過される光が当該化粧パネルの表面側に出射される光出射部とを有してなることを特徴とする照明ユニット。
【請求項２】
前記光透過部は、
前記ハウジングの壁の外面から突出して形成されてなり、
前記光出射部は、
前記光透過部が内部に配置可能に形成された開口であることを特徴とする請求項１に記載の照明ユニット。
【請求項３】
前記光出射部は、
前記化粧パネルの裏面側の開口が拡大されるように傾斜して形成された面からなるテーパ部を有してなることを特徴とする請求項２に記載の照明ユニット。
【請求項４】
前記化粧パネルは、
遮光性を有してなることを特徴とする請求項１、２、または３に記載の照明ユニット。
【発明の詳細な説明】
【技術分野】
【０００１】
本発明は、光を発する発光部を有してなる発光機能部と、該発光機能部が防水可能に収容されるハウジングと、該ハウジングが取り付けられる化粧パネルとを有してなる照明ユニットに関する。
【背景技術】
【０００２】
従来、ＬＥＤ（発光ダイオード）等の発光部を有してなる発光機能部が車両等の室内の化粧パネルに取り付けされる場合、発光機能部の防水性を高めるため、発光機能部をハウジング内に収容するようにしている。例えば、特許文献１には、ＬＥＤを有してなる発光機能部が、合成樹脂性のケース内に収容される照明ユニットが提案されている。
【０００３】
この特許文献１に記載された照明ユニットは、ドア開口部の下方にサイドガーニッシュ（化粧パネル）を設け、このサイドガーニッシュの下面に、灯体およびこの灯体を保持する灯体ガーニッシュ（化粧パネル）を配置するようになっている。
【先行技術文献】
【特許文献】
【０００４】
【特許文献１】特開２０１０−２５４２５７号公報
【発明の概要】
【発明が解決しようとする課題】
【０００５】
しかしながら、特許文献１に記載された照明ユニットは、ハウジングを化粧パネルに取り付けする際、ネジ止め等によってハウジングを化粧パネルに固定しなければならないため、取り付け作業が煩雑になってしまうという問題があった。
【０００６】
本発明は、上記に鑑みてなされたものであって、化粧パネルへのハウジングの取り付け作業を容易にすることができる照明ユニットを提供することを目的とする。
【課題を解決するための手段】
【０００７】
上述した課題を解決し、目的を達成するために、本発明の請求項１にかかる照明ユニットは、光を発する発光部を有してなる発光機能部と、該発光機能部が防水可能に収容されるハウジングと、該ハウジングが取り付けされる化粧パネルとを有してなる照明ユニットにおいて、前記ハウジングは、前記発光部から発せれる光が透過される光透過部と、回動されることによって前記化粧パネルに取り付けされるように軸心に設けられてなるハウジング側回動軸部、あるいはハウジング側軸受け部とを有してなり、前記化粧パネルは、該化粧パネルの裏面に設けられ、前記ハウジング側回動軸部を回動可能に支持するパネル側軸受部、あるいは前記ハウジング側軸受け部によって回動可能に支持されるパネル側回動軸部と、前記光透過部から透過される光が当該化粧パネルの表面側に出射される光出射部とを有してなることを特徴とする。
【０００８】
また、本発明の請求項２にかかる照明ユニットは、上記の発明において、前記光透過部は、前記ハウジングの壁の外面から突出して形成されてなり、前記光出射部は、前記光透過部が内部に配置可能に形成された開口であることを特徴とする。
【０００９】
また、本発明の請求項３にかかる照明ユニットは、上記の発明において、前記光出射部は、前記化粧パネルの裏面側の開口が拡大されるように傾斜して形成された面からなるテーパ部を有してなることを特徴とする。
【００１０】
また、本発明の請求項４にかかる照明ユニットは、上記の発明において、前記化粧パネルは、遮光性を有してなることを特徴とする。
【発明の効果】
【００１１】
本発明の請求項１にかかる照明ユニットは、前記ハウジングが、前記発光部から発せられる光が透過される光透過部と、回動されることによって前記化粧パネルに取り付けされるように軸心に設けられてなるハウジング側回動軸部、あるいはハウジング側軸受け部とを有してなり、前記化粧パネルが、該化粧パネルの裏面に設けられ、前記ハウジング側回動軸部を回動可能に支持するパネル側軸受部、あるいは前記ハウジング側軸受け部によって回動可能に支持されるパネル側回動軸部と、前記光透過部から透過される光が前記化粧パネルの表面側に出射される光出射部とを有してなり、前記ハウジングが前記パネル側軸受部に支持された状態、あるいは前記パネル側回動軸部１０１を中心に回動されて前記化粧パネルの取り付け位置に配置されるので、前記化粧パネルへの前記ハウジングの取り付け作業を容易にすることができる。
【００１２】
本発明の請求項２にかかる照明ユニットは、上述した請求項１と同様の効果を奏するとともに、前記光透過部が前記ハウジングの壁の外面から突出して形成されてなり、前記光出射部が前記光透過部を内部に配置可能に形成された開口であるので、前記光透過部にて集光された光を前記光出射部から出射させることができ、結果的に、輝度を向上させた光を前記光出射部から出射することができる。  
【００１３】
本発明の請求項３にかかる照明ユニットは、上述した請求項１と同様の効果を奏するとともに、前記光出射部が前記化粧パネルの裏面側の開口が拡大されるように傾斜して形成された面からなるテーパ部を有してなるので、前記光透過部が前記化粧パネルに当接されないようにして前記光出射部内に配置させることができ、結果的に、前記光透過部にキズが付くことを防止することができる。
【００１４】
本発明の請求項４にかかる照明ユニットは、上述した請求項１と同様の効果を奏するとともに、前記化粧パネルが遮光性を有してなるので、所望の領域を遮光して前記発光部から発せされる光を出射することができるとともに、前記化粧パネルを遮光カバーとして用いているので、遮光カバーを別に設ける場合に比して部品点数を削減することができる。
【図面の簡単な説明】
【００１５】
【図１】図１は、本発明の実施の形態にかかる照明ユニットの正面図である。
【図２】図２は、図１に示した照明ユニットのＡ−Ａ線断面図である。
【図３】図３は、図１に示した発光機能部が収容されたハウジングを第二の突起部が形成された壁側から視た斜視図である。
【図４】図４は、図１に示した発光機能部が収容されたハウジングを第二の突起部が形成された壁と対向する壁側から視た斜視図である。
【図５】図５は、図１に示したハウジングの上側から視た正面図である。
【図６】図６は、図１に示した発光機能部が収容されたハウジングの要部断面図である。
【図７】図７は、図２に示した化粧パネルの要部拡大図である。
【図８】図８は、化粧パネルへのハウジングの取り付け手順を示した図である。
【図９】図９は、化粧パネルへのハウジングの取り付け手順を示した図である。
【図１０】図１０は、本発明の実施の形態の変形例１の照明ユニットの要部断面図である。
【図１１】図１１は、本発明の実施の変形例２の照明ユニットの正面図である。
【図１２】図１２は、図１１に示した照明ユニットのＡ−Ａ線断面図である。
【図１３】図１３は、図１１に示した発光機能部が収容されたハウジングを第二の突起部が形成された壁側から視た斜視図である。
【発明を実施するための形態】
【００１６】
以下、図面を参照して、本発明にかかる照明ユニットの好適な実施の形態を詳細に説明する。
【００１７】
（実施の形態）
図１は、本発明の実施の形態にかかる照明ユニット１の正面図である。図２は、図１に示した照明ユニット１のＡ−Ａ線断面図である。図３は、図１に示した発光機能部１０が収容されたハウジング２０を第二の突起部２７ｂが形成された壁側から視た斜視図である。図４は、図１に示した発光機能部１０が収容されたハウジング２０を第二の突起部２７ｂが形成された壁と対向する壁側から視た斜視図である。図５は、図１に示したハウジング２０の上側から視た正面図である。図６は、図１に示した発光機能部１０が収容されたハウジング２０の要部断面図である。図７は、図２に示した化粧パネル４０の要部拡大図である。
なお、便宜上、図中の互いに直交する矢印方向を前後上下方向とする。
【００１８】
本発明の実施の形態にかかる照明ユニット１は、光を発光する発光部としてのＬＥＤ素子１２を有してなる発光機能部１０と、ＬＥＤ素子１２から発せれる光が透過可能な光透過部２７と、ハウジング側回動軸部２９とを有し、発光機能部１０が収容されるハウジング２０と、光透過部２７に対応する位置に設けられ、光透過部２７から透過される光が出射される光出射部２７を有してなる化粧パネル４０と、化粧パネル４０の裏面側に設けられ、ハウジング側回動軸部２９を回動可能に軸支するパネル側軸受部５３を有してなる取り付けガイド部５０と、を有してなり、ハウジング２０がハウジング側回動軸部２９を中心として回動されて化粧パネル４０に取り付けられる。
この照明ユニット１は、化粧パネル４０の表面４０ａに配置された充電コネクタ６０による図示しない充電対象の充電状態を示すとともに、充電コネクタ６０の周辺を照明するようになっている。
【００１９】
まず、発光機能部１０について説明する。
発光機能部１０は、回路基板１１と、二つのＬＥＤ素子１２と、電線Ｗとを有してなる。
回路基板１１は、いわゆるプリント配線板によって実現され、電源回路等の導体パターンが形成されている。この回路基板１１は、各面１１ａ，１１ｂに一つずつ、合計二つのＬＥＤ素子１２が実装されている。また、この実施の形態では、回路基板１１は、基板上に形成された図示しない端子を介して、信号線、あるいは給電線としての複数の電線Ｗに接続されている。各電線Ｗは、半田付け処理等を行うことによって端子に接続される。
【００２０】
二つのＬＥＤ素子１２の各ＬＥＤ素子１２は、箱状のパッケージの表面に発光部があり、図示しない電源入力端子が回路基板１１の図示しない電源回路に接続されている。図示しない電源回路は、回路基板１１上に設けられた図示しない端子を介して電線Ｗに接続されている。各ＬＥＤ素子１２は、電源回路を介して電源を供給されることによって点灯するようになっている。
二つのＬＥＤ素子１２のうち、回路基板１１の一方の面の前側位置に配置されたＬＥＤ素子１２（以下、前側ＬＥＤ素子１２ａと称する。）は、例えば、オレンジ色の光を発し、色の種類によって、充電対象の充電状態を示している。
また、回路基板１１の他方の面に前側ＬＥＤ素子１２ａに比して回路基板１１上の後方位置に配置されたＬＥＤ素子１２（以下、後側ＬＥＤ素子１２ｂと称する。）は、白色光を発し、充電コネクタ６０を照らすものである。
【００２１】
次に、ハウジング２０について説明する。
ハウジング２０は、発光機能部１０が収容されるものである。
このハウジング２０は、ハウジング本体部２１および蓋部３０を有してなる。
ハウジング本体部２１は、ポリカーボネイト等の合成樹脂材からなり、かつ光透過性を有している。このハウジング本体部２１は、外形矩形状の前壁２２の縁に沿って立設された側壁２３、上壁２４、下壁２５を有し、かつ一端が開口された有底角筒形状をなし、端部開口２１ａからハウジング本体部２１内に発光機能部１０が収容されるようになっている。
また、ハウジング本体部２１は、図４に示すように、ハウジング本体部２１の角部２６のうちハウジング側回動軸部２９近傍の角部２６ａが、ハウジング側回動軸部２９の後述する棒状突出部２９ａの外周曲面に対応して形成された曲面形状になっている。このため、ハウジング側回動軸部２９近傍の角部２６ａがハウジング２０の内壁面に干渉することなく、ハウジング２０がハウジング側回動軸部２９を中心としてなめらかに回動されるようになっている。
また、ハウジング本体部２１は、光透過部２７、一対の係合突起部２８、ハウジング側回動軸部２９を有してなる。
【００２２】
光透過部２７は、ＬＥＤ素子１２から発せれる光が透過される部分である。
光透過部２７は、第一の突起部２７ａおよび第二の突起部２７ｂを有してなる。
第一の突起部２７ａは、ハウジング本体部２１の前壁外面２２ａから直方体形状に突起された部分である。
この第一の突起部２７ａは前側ＬＥＤ素子１２ａの発光方向側の面に対向する位置に配置される。このため、第一の突起部２７ａには、前側ＬＥＤ素子１２ａから発せられたオレンジ色の光が集光されやすいようになっているので、前側ＬＥＤ素子１２ａから発せられたオレンジ色の光が、第一の突起部２７ａを介して視認し易いようになっている。
第二の突起部２７ｂは、ハウジング本体部２１の側壁外面２３ａから円柱状に突起された部分である。
この第二の突起部２７ａは後側ＬＥＤ素子１２ｂの発光方向側の面に対向する位置に配置される。このため、第二の突起部２７ａには、後側ＬＥＤ素子１２ｂから発せられた白色光が集光されやすいようになっているので、後側ＬＥＤ素子１２ｂから発せられた白色の光の輝度を高めるようになっている。なお、この第二の突起部２７ａは、充電コネクタ６０の周辺を照らす照明手段としての機能を高めるため、光が拡散されるような表面処理を施してもよい。
【００２３】
一対の係合突起部２８は、ハウジング本体部２１の上壁外面２４ａおよび下壁外面２５ａのそれぞれから突起して設けられた一対の突起部である。この一対の係合突起部２８の各係合突起部２８は、後述する一対の係止開口部５２ｂの各係止開口部５２ｂと係合されることによって、ハウジング２０を化粧パネル４０の取り付け位置に係止させるものである。
【００２４】
ハウジング側回動軸部２９は、ハウジング２０が回動されることによって化粧パネル４０に取り付けされるように軸心に設けられてなる。より具体的には、ハウジング側回動軸部２９は、ハウジング本体部２１の上壁外面２４ａ、および下壁外面２５ａから同一軸心上で棒状に突出して設けられた一対の棒状突出部２９ａを有してなる。
【００２５】
ハウジング２０は、ハウジング側回動軸部２９が後述するパネル側軸受部５３によって回動可能に支持され、ハウジング側回動軸部２９を軸心として回動されることによって化粧パネル４０に取り付けられるようになっている。
【００２６】
蓋部３０は、ハウジング本体部２１の端部開口２１ａを塞ぐ防水詮として機能するものである。この蓋部３０は、図６に示すように、防水パッキン３１を介してハウジング本体部２１の端部開口２１ａを塞ぎ、蓋部３０に形成された電線引き出し孔３２から防水性を維持しつつ電線Ｗが引き出されるようになっている。
【００２７】
次に、化粧パネル４０について説明する。
化粧パネル４０は、遮光性を有してなり、表面４０ａに装飾等が施されるようになっている。この化粧パネル４０は、パネル本体部４１、光出射部４２、および取り付けガイド部５０を有してなる。
パネル本体部４１は、化粧パネル４０の本体を構成する部分であり、横断面凹状をなしている。このパネル本体部４１は、箱型部４３およびフランジ部４４を有してなる。箱型部４３は、矩形状の底壁４３ａと、底壁４３ａの縁に沿って立設された周側壁４３ｂとを有してなり、底壁の表面に充電コネクタ６０が配置されるようになっている。
フランジ部４４は、箱型部４３の開口端部４３ｃの縁に沿って箱型部４３の深さ方向に直交する方向に突出されてなる。図２に示すように、化粧パネル４０がフランジ部４４を介して車両のボディＢに取り付けられるようになっている。
【００２８】
光出射部４２は、光透過部２７に対応する位置に設けられ、光透過部２７から透過される光が出射されるように形成された開口である。この光出射部４２は、第一の開口部４２ａおよび第二の開口部４２ｂを有してなる。
第一の開口部４２ａは、第一の突起部２７ａが開口内に配置されることによって前側ＬＥＤ素子１２ａから発せられた光が化粧パネル４０の表面４０ａ側に出射されるようになっている。
この第一の開口部４２ａには、図７に示すように、第一のテーパ部４２ａａが形成れている。第一のテーパ部４２ａａは、ハウジング２０がハウジング側回動軸部２９を軸心として回動される際、第一の突起部２７ａがフランジ部４４に当接されて回動動作の妨げにならないように、化粧パネル４０の裏面４０ｂ側の開口が拡大されるように傾斜して形成された面からなる。
第二の開口部４２ｂは、第二の突起部２７ｂが開口内に配置されることによって後側ＬＥＤ素子１２ｂから発せられた光が化粧パネル４０の表面４０ａ側に出射されるようになっている。
この第二の開口部４２ｂには、図７に示すように、第二のテーパ部４２ｂｂが形成れている。第二のテーパ部４２ｂｂは、第一のテーパ部４２ａａと同様に、ハウジング２０がハウジング側回動軸部２９を軸心として回動される際、第二の突起部２７ｂが周側壁４３ｂに当接されて回動動作の妨げにならないように、化粧パネル４０の裏面４０ｂ側の開口が拡大されるように傾斜して形成された面からなる。
【００２９】
取り付けガイド部５０は、化粧パネル４０へのハウジング２０の取り付けをガイドするものである。この取り付けガイド部５０は、図１および図２に示すように、化粧パネル４０の裏面４０ｂ側に一対のガイド壁部５１を有してなる。この一対のガイド壁部５１の各ガイド壁部５１は、化粧パネル４０の裏面４０ｂ、より具体的には、フランジ部４４と周側壁４３ｂによって形成された屈曲部４３ｄを含んだ化粧パネル４０の裏面４０ｂに立設され、各ガイド壁部５１の間にハウジング２０が配置されるようになっている。
【００３０】
各ガイド壁部５１は、係止部５２およびパネル側軸受部５３を有してなる。
係止部５２は、ハウジング２０を化粧パネル４０に係止させものであり、弾性片部５２ａおよび係止開口部５２ｂを有してなる。
弾性片部５２ａは、ガイド壁部５１の端部に間隔を空けて設けられた一対のスリット部５２ｃによって弾性変形可能な弾性片としての機能をなすように形成された部分である。
係止開口部５２ｂは、係合突起部５２ｂに対応して弾性片部５２ａに形成された開口である。この係止開口部５２ｂと係合突起部２８とが係合されることによって、ハウジング２０が化粧パネル４０の取り付け位置に係止させるようになっている。
【００３１】
パネル側軸受部５３は、ハウジング側回動軸部２９を回動可能に支持するものである。このパネル側軸受部５３は、棒状突出部２９ａの外形形状に略等しい形状でガイド壁部５１の縁に形成された円状の切り欠き部分である。各パネル側軸受部５３は、同一軸心上に並ぶように各ガイド壁部５１に形成され、ハウジング２０の各棒状突出部２９ａを回動可能に支持するようになっている。
【００３２】
このような、照明ユニット１は、ハウジング２０が化粧パネル４０に取り付けされる場合、ハウジング２０のハウジング側回動軸部２９が化粧パネル４０のパネル側軸受部５３に回動可能に支持されることによって、ハウジング２０が回動されて化粧パネル４０の取り付け位置に配置されるようになっている。
【００３３】
ここで、図８および図９を用いて、化粧パネル４０へのハウジング２０の取り付け手順について説明する。図８および図９は、化粧パネル４０へのハウジング２０の取り付け手順を示した図である。
まず、作業者は、ハウジング２０のハウジング側回動軸部２９を化粧パネル４０のパネル側軸受部５３に組み付ける（図８（ａ）参照）。この際、ハウジング２０が化粧パネル４０の裏面４０ｂ側に設けられたパネル側軸受部５３に取り付けられるので、電線Ｗを化粧パネル４０の表面側に引き出す必要がない。
【００３４】
次に、作業者は、パネル側軸受部５３によって回動可能に支持されたハウジング２０を回動させる（図８（ｂ）および図９（ｃ）参照）。このようにハウジング２０を回動させることによって、ハウジング２０が化粧パネル４０の裏面４０ｂの取り付け位置までガイドされる。また、第一の開口部４２ａおよび第二の開口部４２ｂに形成された第一のテーパ部４２ａａあるいは第二のテーパ部４２ｂｂによって、第一の突起部２７ａおよび第二の突起部２７ｂが化粧パネル４０に当接されないようにして第一の開口部４２ａあるいは第二の開口部４２ｂ内に配置される（図９（ｃ）参照）。
【００３５】
次に、作業者は、係合突起部２８と係止開口部５２ｂとを係合させることによってハウジング２０を化粧パネル４０の取り付け位置に係止させて取り付け作業を完了する（図９（ｄ）参照）。ここで、係合突起部２８と係止開口部５２ｂと係合させる際、弾性片部５２ａの自由端側が広げられながらハウジング２０が一対のガイド壁部５１の間に移動される。
【００３６】
本発明の実施の形態にかかる照明ユニット１は、ハウジング２０が、ＬＥＤ素子１２から発せられる光が透過される光透過部２７と、回動されることによって化粧パネル４０に取り付けされるように軸心に設けられてなるハウジング側回動軸部２９とを有してなり、化粧パネル４０が、化粧パネル４０の裏面４０ｂに設けられ、ハウジング側回動軸部２９を回動可能に支持するパネル側軸受部５３と、光透過部２７から透過される光が化粧パネル４０の表面側に出射される光出射部４２とを有してなり、ハウジング２０がパネル側軸受部５３に支持された状態で回動されて化粧パネル４０の取り付け位置に配置されるので、化粧パネル４０へのハウジング２０の取り付け作業を容易にすることができる。
【００３７】
また、本発明の実施の形態にかかる照明ユニット１は、ハウジング２０が化粧パネル４０の裏面４０ｂ側に取り付けられるので、発光機能部１０に接続される電線Ｗを化粧パネル４０の表面４０ａ側に引き出す必要がなく、結果的に、化粧パネル４０へのハウジング２０の取り付け作業を容易にすることができる。
【００３８】
また、本発明の実施の形態にかかる照明ユニット１は、光透過部２７がハウジング２０の壁の外面から突出して形成されてなり、光出射部４２が光透過部２７を内部に配置可能に形成された開口であるので、光透過部２７にて集光された光を光出射部４２から出射させることができ、結果的に、輝度を向上させた光を光出射部４２から出射することができる。
【００３９】
また、本発明の実施の形態にかかる照明ユニット１は、第一の開口部４２ａおよび第二の開口部４２ｂが化粧パネル４０の裏面４０ｂ側の開口が拡大されるように傾斜して形成された面からなる第一のテーパ部４２ａａ、あるいは第二のテーパ部４２ｂｂを有してなるので、第一の突起部２７ａおよび第二の突起部２７ｂが化粧パネル４０に当接されないようにして第一の開口部４２ａあるいは第二の開口部４２ｂ内に配置させることができ、結果的に、第一の突起部２７ａおよび第二の突起部２７ｂにキズが付くことを防止することができる。
【００４０】
また、本発明の実施の形態にかかる照明ユニット１は、化粧パネル４０が遮光性を有してなるので、所望の領域を遮光してＬＥＤ素子１２から発せされる光を出射することができるとともに、化粧パネル４０を遮光カバーとして用いているので、遮光カバーを別に設ける場合に比して部品点数を削減することができる。
【００４１】
（変形例１）
次に、図１０を用いて本発明の実施の形態の照明ユニット１の変形例１について説明する。図１０は、本発明の実施の形態の変形例１の照明ユニット２の要部断面図である。
この変形例１の照明ユニット２は、化粧パネル４０が、取り付けガイド部５０に代わって、取り付けガイド部７０を有してなる点で実施の形態の照明ユニット１と異なる。
なお、その他の構成は実施の形態と同様であり、実施の形態と同一構成部分には同一符号を付している。
【００４２】
取り付けガイド部７０は、パネル側軸受部８０を有してなる。パネル側軸受部８０は、パネル側軸受部５３と同様に、ハウジング側回動軸部２９を回動可能に支持するものである。このパネル側軸受部８０は、化粧パネル４０の裏面４０ｂ側に設けられた一対の支持板部８１と、各支持板部８１の縁に形成された円状の切り欠き部８２とを有してなる。
各パネル側軸受部８０は、同一軸心上に並ぶように配置され、ハウジング２０の各棒状突出部２９ａを回動可能に支持されるようになっている。
この変形例１の照明ユニット２は、ハウジング２０がパネル側軸受部８０に支持された状態で回動されて化粧パネル４０の取り付け位置に配置されるので、実施の形態と同様に化粧パネル４０へのハウジング２０の取り付け作業を容易にすることができる。
【００４３】
（変形例２）
次に、図１１−図１３を用いて本発明の実施の形態の照明ユニット１の変形例２について説明する。図１１は、本発明の実施の形態の変形例２の照明ユニット３の正面図である。図１２は、図１１に示した照明ユニット３のＡ−Ａ線断面図である。図１３は、図１１に示した発光機能部１０が収容されたハウジング９０を第二の突起部２７ｂが形成された壁側から視た斜視図である。
なお、その他の構成は実施の形態と同様であり、実施の形態と同一構成部分には同一符号を付している。
この変形例２の照明ユニット３は、ハウジング２０に代わってハウジング９０を有し、化粧パネル４０が、取り付けガイド部５０に代わって、取り付けガイド部１００を有してなる点で実施の形態の照明ユニット１と異なる。
この変形例２の照明ユニット３は、光を発光する発光部としてのＬＥＤ素子１２を有してなる発光機能部１０と、ＬＥＤ素子１２から発せれる光が透過可能な光透過部２７と、ハウジング側軸受部９１とを有し、発光機能部１０が収容されるハウジング９０と、光透過部２７に対応する位置に設けられ、光透過部２７から透過される光が出射される光出射部２７を有してなる化粧パネル４０と、化粧パネル４０の裏面側に設けられ、ハウジング側軸受部９１によって回動可能に支持されるパネル側回動軸部１０１を有してなる取り付けガイド部１００と、を有してなり、ハウジング９０がパネル側回動軸部１０１を中心として回動されて化粧パネル４０に取り付けられる。
【００４４】
ハウジング９０は、ハウジング側回動軸部２９に代わってハウジング側軸受部９１を有してなる。このハウジング側軸受部９１はパネル側回動軸部１０１が回動可能に支持されるものである。より具体的には、ハウジング側軸受部９１は、後述する棒状突出部１０１ａの外形形状に略等しい形状でハウジング９０の向かい合う側壁２３に形成された一対の凹部である。各ハウジング側軸受部９１は、同一軸心上に並ぶように各側壁２３に形成され、パネル側回動軸部１０１の各棒状突出部１０１ａを回動可能に支持するようになっている。
取り付けガイド部１００は、化粧パネル４０へのハウジング９０の取り付けをガイドするものであり、パネル側回動軸部１０１を有してなる。
パネル側回動軸部１０１は、ハウジング側軸受け部９１によって回動可能に支持されるものである。より具体的には、パネル側回動軸部１０１は、各ガイド壁部５１の向かい合う面から同一軸心上で棒状に突出して設けられた一対の棒状突出部１０１ａを有してなる。
この変形例２の照明ユニット３は、ハウジング９０がパネル側回動軸部１０１を中心に回動されて化粧パネル４０の取り付け位置に配置されるので、実施の形態と同様に化粧パネル４０へのハウジング９０の取り付け作業を容易にすることができる。
【００４５】
なお、本発明の実施の形態の照明ユニット１，２，３は、二つのＬＥＤ素子１２を有してなるものを例示したが、その数は二つに限定されない。すなわち、少なくとも一つのＬＥＤ素子１２を有してなればよい。
【００４６】
また、本発明の実施の形態の照明ユニット１，２，３は、光を発する発光部としてＬＥＤ素子１２を有してなるもの例示したが、これに限らず、光を発光するものであれば、その他のものを用いてもよい。
【００４７】
また、発明の実施の形態の照明ユニット１，２，３は、ハウジング２０，９０が有底角筒形状のハウジング本体部２１を有し、かつ化粧パネル４０が箱型部４３およびフランジ部４４を有してなるものを例示したが、これに限らない。すなわち、ハウジング２０，９０が回動されて化粧パネル４０に取り付けされた場合、光透過部２７から透過される光が光出射部４２から化粧パネル４０の表面４０ａ側に出射されるようになっていればハウジング２０，９０および化粧パネル４０はその他の形状を用いてもよい。
【００４８】
また、発明の実施の形態の照明ユニット１，２，３は、ハウジング２０，９０が光透過性を有するものを例示したが、これに限らない。すなわち、少なくとも光透過部２７が光を透過するようになっていればよい。例えば、ハウジング２０，９０の光透過部２７以外の部分が遮光性を有するようになっていてもよい。
【００４９】
以上、本発明者によってなされた発明を、上述した発明の実施の形態に基づき具体的に説明したが、本発明は、上述した発明の実施の形態に限定されるものではなく、その要旨を逸脱しない範囲において種々変更可能である。
【符号の説明】
【００５０】
１、２、３  照明ユニット
１０    発光機能部
１１    回路基板
１１ａ、１１ｂ  面
１２    ＬＥＤ素子
１２ａ  前側ＬＥＤ素子
１２ｂ  後側ＬＥＤ素子
２０、９０  ハウジング
２１    ハウジング本体部
２１ａ  端部開口
２２    前壁
２２ａ  前壁外面
２３    側壁
２３ａ  側壁外面
２４    上壁
２４ａ  上壁外面
２５    下壁
２５ａ  下壁外面
２６、２６ａ  角部
２７    光透過部
２７ａ  第一の突起部
２７ｂ  第二の突起部
２８    係合突起部
２９    ハウジング側回動軸部
２９ａ  棒状突出部
３０    蓋部
３１    防水パッキン
３２    電線引き出し孔
４０    化粧パネル
４０ａ  表面
４０ｂ  裏面
４１    パネル本体部
４２    光出射部
４２ａ  第一の開口部
４２ａａ  第一のテーパ部
４２ｂ  第二の開口部
４２ｂｂ  第二のテーパ部
４３    箱型部
４３ａ  底壁
４３ｂ  周側壁
４３ｃ  開口端部
４３ｄ  屈曲部
４４    フランジ部
５０、７０、１００  取り付けガイド部
５１    ガイド壁部
５２    係止部
５２ａ  弾性片部
５２ｂ  係止開口部
５２ｃ  スリット部
５３、８０  パネル側軸受部
６０    充電コネクタ
８１    支持板部
８２    切り欠き部
９１    ハウジング側軸受部
１０１  パネル側回動軸部
１０１ａ  棒状突出部
Ｗ      電線
Ｂ      車両のボディ
【図１】
2013014211.tif 000003
【図２】
2013014211.tif 000004
【図３】
2013014211.tif 000005
【図４】
2013014211.tif 000006
【図５】
2013014211.tif 000007
【図６】
2013014211.tif 000008
【図７】
2013014211.tif 000009
【図８】
2013014211.tif 000010
【図９】
2013014211.tif 000011
【図１０】
2013014211.tif 000012
【図１１】
2013014211.tif 000013
【図１２】
2013014211.tif 000014
【図１３】
2013014211.tif 000015